(57)【要約】【課題】診察端末における操作の手間を省くことが可能な電子カルテシステム及び電子カルテプログラムを提供すること。【解決手段】入力処理部は、受付端末における入力操作に応じて、受診者及び受診事由に関する情報を受付情報として入力する。表示制御部は、前記入力処理部により入力された前記受付情報が予め定められた特定条件を満たす場合は、診察端末における診察開始操作に応じて、電子カルテへの前記受付情報に関するカルテ情報の記載を支援するための入力支援画面を当該診察端末に表示させる。記録処理部は、前記入力支援画面に対するユーザー操作に基づいて前記電子カルテに前記カルテ情報を記録する。【選択図】図１３
2018073068.tif 000002
【特許請求の範囲】
【請求項１】
受付端末における入力操作に応じて、受診者及び受診事由に関する情報を受付情報として入力する入力処理部と、
前記入力処理部により入力された前記受付情報が予め定められた特定条件を満たす場合は、診察端末における診察開始操作に応じて、電子カルテへの前記受付情報に関するカルテ情報の記載を支援するための入力支援画面を当該診察端末に表示させる表示制御部と、
前記入力支援画面に対するユーザー操作に基づいて前記電子カルテに前記カルテ情報を記録する記録処理部と、
を備える電子カルテシステム。
【請求項２】
前記表示制御部は、前記受診事由が予防接種であることを前記受付情報が示している場合は、前記診察端末における前記診察開始操作に応じて、少なくとも前記受診者が未接種である予防接種を示す前記入力支援画面を前記診察端末に表示させ、
前記電子カルテシステムは、前記入力支援画面に対するユーザー操作に基づいて、予め登録された複数の予防接種の中から一又は複数の予防接種を選択可能な選択処理部を更に備え、
前記記録処理部は、前記選択処理部により選択された、前記受診者が今回接種する予防接種に関する前記カルテ情報を前記電子カルテに記録する、
請求項１に記載の電子カルテシステム。
【請求項３】
前記入力支援画面では、前記受診者が接種済みである予防接種と未接種である予防接種とが判別可能に表示される、
請求項２に記載の電子カルテシステム。
【請求項４】
前記入力支援画面では、前記受診者が接種済みである予防接種について、当該予防接種の接種日が表示される、
請求項３に記載の電子カルテシステム。
【請求項５】
前記入力支援画面では、前記受診者の年齢に基づいて、前記受診者が未接種である予防接種について、予防接種ごとに予め定められた接種期間中であるか否かが判別可能に表示される、
請求項２〜４のいずれかに記載の電子カルテシステム。
【請求項６】
前記入力支援画面では、前記受診者が未接種である予防接種について、当該予防接種の前回の接種日に基づいて定められる接種不可期間中であるか否かが判別可能に表示される、
請求項２〜５のいずれかに記載の電子カルテシステム。
【請求項７】
前記選択処理部は、単一のユーザー操作に応じて、予め定められた複数の予防接種を一括選択可能である、
請求項２〜６のいずれかに記載の電子カルテシステム。
【請求項８】
前記選択処理部は、単一のユーザー操作に応じて、前記受診者が今回接種可能な予防接種を全て一括選択可能である、
請求項２〜６のいずれかに記載の電子カルテシステム。
【請求項９】
前記選択処理部は、前記入力支援画面が表示された時点で前記受診者が今回接種可能な予防接種を全て選択状態に設定し、その後、当該予防接種の各々をユーザー操作に応じて個別に非選択状態に設定することが可能である、
請求項２〜６のいずれかに記載の電子カルテシステム。
【請求項１０】
前記表示制御部は、前記受診者が接種した予防接種の種類、接種回数、及び接種日が記録された接種履歴情報に基づいて、前記入力支援画面を前記診察端末に表示させ、
前記電子カルテシステムは、前記入力支援画面に対するユーザー操作に基づいて、前記選択処理部により選択された予防接種の種類、接種回数、及び接種日を前記接種履歴情報に追加する履歴記録部を更に備え、
前記記録処理部は、前記履歴記録部により前記接種履歴情報に追加される予防接種の接種日が今日である場合は、前記予防接種に関する前記カルテ情報を前記電子カルテに記録し、前記接種日が過去の日付である場合は、前記予防接種に関する前記カルテ情報を前記電子カルテに記録しない、
請求項２〜９のいずれかに記載の電子カルテシステム。
【請求項１１】
前記入力支援画面は、
前記選択処理部により選択可能な複数の予防接種を表示する第１画面と、
前記選択処理部により一又は複数の予防接種が選択されたことに応じて、前記選択処理部により選択された予防接種ごとに、前記電子カルテに記録すべき前記カルテ情報を表示する第２画面とを含む、
請求項２〜１０のいずれかに記載の電子カルテシステム。
【請求項１２】
前記第２画面には、前記選択処理部により選択された予防接種ごとに、前記電子カルテに記録すべき前記カルテ情報として、予め定められた複数の項目に関する情報が表示され、
前記記録処理部は、前記複数の項目のうち、ユーザー操作に応じて選択される項目に関する情報を選択的に前記電子カルテに記録する、
請求項１１に記載の電子カルテシステム。
【請求項１３】
前記第２画面には、前記選択処理部により選択された予防接種ごとに、前記電子カルテに記録すべき前記カルテ情報として、予防接種ごとに予め登録された情報が初期表示される、
請求項１１又は請求項１２に記載の電子カルテシステム。
【請求項１４】
前記第２画面に初期表示された前記カルテ情報は、ユーザー操作に応じて任意に変更可能である、
請求項１３に記載の電子カルテシステム。
【請求項１５】
受付端末における入力操作に応じて、受診者及び受診事由に関する情報を受付情報として入力する入力ステップと、
前記入力ステップで入力された前記受付情報が予め定められた特定条件を満たす場合は、診察端末における診察開始操作に応じて、電子カルテへの前記受付情報に関するカルテ情報の記載を支援するための入力支援画面を当該診察端末に表示させる表示ステップと、
前記入力支援画面に対するユーザー操作に基づいて前記電子カルテに前記カルテ情報を記録する記録ステップと、
をプロセッサーに実行させるための電子カルテプログラム。
【発明の詳細な説明】
【技術分野】
【０００１】
本発明は、電子カルテシステム及び電子カルテプログラムに関する。
【背景技術】
【０００２】
近年、病院などの医療機関では、患者の診療に関する診療情報を電子カルテと称される電子データで管理する電子カルテシステム（例えば特許文献１参照）が利用される。電子カルテへの入力は、例えばタッチパネルディスプレイに表示されたキーパッドなどを利用して行うことができる。
【先行技術文献】
【特許文献】
【０００３】
【特許文献１】特許第４８１１３８３号公報
【発明の概要】
【発明が解決しようとする課題】
【０００４】
ところで、予防接種の受診者を診察する場合、医者は、前記受診者が今回接種すべき予防接種を母子手帳などを参考にしながら決定し、当該予防接種に関するカルテ情報（すなわち、接種すべきワクチンの種類、投与量など）を、診察端末を通じて電子カルテに記載する必要がある。
【０００５】
しかしながら、上記のようにして今回接種すべき予防接種を決定して、当該予防接種に関するカルテ情報を電子カルテに記載するには大きな手間がかかる。特に、複数（例えば４種類）の予防接種を同時に接種する場合には、前記カルテ情報を電子カルテに記載する手間が大きく増えてしまう。
【０００６】
本発明の目的は、診察端末における操作の手間を省くことが可能な電子カルテシステム及び電子カルテプログラムを提供することにある。
【課題を解決するための手段】
【０００７】
本発明に係る電子カルテシステムは、受付端末における入力操作に応じて、受診者及び受診事由に関する情報を受付情報として入力する入力処理部と、前記入力処理部により入力された前記受付情報が予め定められた特定条件を満たす場合は、診察端末における診察開始操作に応じて、電子カルテへの前記受付情報に関するカルテ情報の記載を支援するための入力支援画面を当該診察端末に表示させる表示制御部と、前記入力支援画面に対するユーザー操作に基づいて前記電子カルテに前記カルテ情報を記録する記録処理部とを備える。
【０００８】
本発明に係る電子カルテプログラムは、受付端末における入力操作に応じて、受診者及び受診事由に関する情報を受付情報として入力する入力ステップと、前記入力ステップで入力された前記受付情報が予め定められた特定条件を満たす場合に、診察端末における診察開始操作に応じて、電子カルテへの前記受付情報に関するカルテ情報の記載を支援するための入力支援画面を当該診察端末に表示させる表示ステップと、前記入力支援画面に対するユーザー操作に基づいて前記電子カルテに前記カルテ情報を記録する記録ステップとをプロセッサーに実行させるための電子カルテプログラムである。
【発明の効果】
【０００９】
本発明によれば、診察端末における操作の手間を省くことが可能な電子カルテシステム及び電子カルテプログラムが提供される。
【図面の簡単な説明】
【００１０】
【図１】図１は、本発明の実施の形態に係る電子カルテシステムの構成を示す図である。
【図２】図２は、本発明の実施の形態に係る電子カルテシステムで使用される自費事由区分マスターの一例を示す図である。
【図３】図３は、本発明の実施の形態に係る電子カルテシステムで使用される予防接種オーダーセットマスターの一例を示す図である。
【図４】図４は、本発明の実施の形態に係る電子カルテシステムで使用される予防接種歴マスターの一例を示す図である。
【図５】図５は、本発明の実施の形態に係る電子カルテシステムで使用される接種履歴情報の一例を示す図である。
【図６】図６は、本発明の実施の形態に係る電子カルテシステムで表示される診察情報登録画面の一例を示す図である。
【図７】図７は、本発明の実施の形態に係る電子カルテシステムで表示されるカルテ画面の一例を示す図である。
【図８】図８は、本発明の実施の形態に係る電子カルテシステムで表示されるカルテ画面及び予防接種歴画面の一例を示す図である。
【図９】図９は、本発明の実施の形態に係る電子カルテシステムで表示される予防接種歴画面の一例を示す図である。
【図１０】図１０は、本発明の実施の形態に係る電子カルテシステムで表示される予防接種歴画面の一例を示す図である。
【図１１】図１１は、本発明の実施の形態に係る電子カルテシステムで表示される予防接種歴追加画面の一例を示す図である。
【図１２】図１２は、本発明の実施の形態に係る電子カルテシステムで表示されるカルテ画面の一例を示す図である。
【図１３】図１３は、本発明の実施の形態に係る電子カルテシステムで実行される電子カルテ処理の手順の一例を示すフローチャートである。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
［電子カルテシステム１］
図１に示すように、本発明の実施の形態に係る電子カルテシステム１は、電子カルテ装置１０と、受付端末２０と、診察端末３０とを備える。前記電子カルテ装置１０、前記受付端末２０、及び前記診察端末３０は、ＬＡＮ又はインターネット等のネットワーク４０を介して通信可能である。
【００１３】
［電子カルテ装置１０］
前記電子カルテ装置１０は、制御部１１、記憶部１２、表示部１３、操作部１４、通信ＩＦ１５、及びドライブ装置１６などを備えるコンピュータである。なお、前記電子カルテ装置１０は、前記電子カルテ装置１０が使用される病院又は薬局等の医療機関の内部又は外部に設けられる。即ち、前記電子カルテ装置１０が前記医療機関の外部に設けられ、前記受付端末２０が前記医療機関に設けられてもよい。
【００１４】
前記電子カルテ装置１０は、前記診察端末３０の操作に応じて患者の診療情報を含む電子カルテの登録及び更新などの編集処理を実行することが可能な電子カルテ編集機能を備える。また、前記電子カルテ装置１０は、前記受付端末２０の操作に応じて会計情報の登録及び更新などの会計処理を実行することが可能なレセプト電算処理システムの機能を有していてもよい。
【００１５】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００１６】
前記記憶部１２は、前記制御部１１によって実行される各種の制御プログラム及び各種のデータが記憶されるハードディスクドライブ、ＳＳＤ（Ｓｏｌｉｄ  Ｓｔａｔｅ  Ｄｒｉｖｅ）、又はフラッシュメモリ等の不揮発性の記憶部である。具体的に、前記記憶部１２は、プログラム領域１２１、マスター領域１２２、データ領域１２３などの記憶領域を有する。
【００１７】
前記プログラム領域１２１には、前記制御部１１に後述の電子カルテ処理（図１３参照）などの各種の処理を実行させるための電子カルテプログラムが記憶される。なお、前記プログラム領域１２１には、オペレーティングシステム（ＯＳ）及びブラウザソフトなどのアプリケーションプログラムも記憶されている。
【００１８】
前記マスター領域１２２には、予防接種オーダーセットマスターＤ１、自費事由区分マスターＤ２、及び予防接種歴マスターＤ３などが記憶される。前記予防接種オーダーセットマスターＤ１、前記自費事由区分マスターＤ２、及び前記予防接種歴マスターＤ３は、前記電子カルテ装置１０の初期設定時又はメンテナンス時などにおいて、例えばマスターメンテナンス画面（不図示）を通じて、前記電子カルテ装置１０、前記受付端末２０、又は前記診察端末３０のユーザー操作に応じて適宜編集されて前記マスター領域１２２に記憶される。
【００１９】
図２は、予防接種オーダーセットマスターＤ１に登録されているデータの一例である。図２に示されるように、予防接種オーダーセットマスターＤ１には、予防接種オーダーセットごとに、予防接種オーダーセットコード、予防接種オーダーセット名、及びオーダー内容などの情報が登録される。前記予防接種オーダーセットコードは、当該予防接種オーダーセットを識別するためのコードである。前記予防接種オーダーセット名は、当該予防接種オーダーセットの名前であり、ユーザーが任意に設定可能である。前記オーダー内容は、当該予防接種オーダーセットに対応するオーダーの内容であって、当該予防接種オーダーセットが選択されたときに後述のカルテ画面Ｐ２（図７参照）において電子カルテに記載されるオーダーの内容である。例えば、図２に示される「ヒブセット」が選択されると、電子カルテに「アクトヒブ（１０μｇ１瓶（溶解液付））  １Ｖ  皮下注射」のオーダーが記載される。
【００２０】
図３は、自費事由区分マスターＤ２に登録されているデータの一例である。図３に示されるように、自費事由区分マスターＤ２には、自費事由区分ごとに、自費事由区分コード、自費事由区分名、及び予防接種歴画面表示フラグなどの情報が登録される。前記自費事由区分コードは、当該自費事由区分を識別するためのコードである。前記自費事由区分名は、当該自費事由区分の名前である。前記予防接種歴画面表示フラグは、前記受付端末２０に表示される後述の診察情報登録画面Ｐ１（図６参照）において当該自費事由区分が選択された場合に、診察開始時に前記診察端末３０に後述の予防接種歴画面Ｐ３（図９参照）を自動的に表示すべきか否かを示すフラグである。本実施形態では、「予防接種」の自費事由区分についてのみ、前記予防接種歴画面表示フラグが「１（表示）」に設定されており、その他の自費事由区分については前記予防接種歴画面表示フラグが「０（非表示）」に設定されている。
【００２１】
図４は、予防接種歴マスターＤ３に登録されているデータの一例である。図４に示されるように、予防接種歴マスターＤ３には、予防接種ごとに、予防接種ＩＤ、予防接種名、接種回数、背景色、文字色、予防接種オーダーセットコード、ＬｏｔＮｏ初期値、投与量初期値、部位初期値１回目、部位初期値２回目、部位初期値３回目、部位初期値４回目、１回目接種期間、２回目接種期間、２回目接種不可期間、３回目接種期間、３回目接種不可期間、４回目接種期間、及び４回目接種不可期間などの情報が登録される。前記予防接種ＩＤは、当該予防接種を識別するための識別情報である。前記予防接種名は、当該予防接種の名前である。前記接種回数は、当該予防接種の必要接種回数である。必要接種回数は、予防接種によって異なるが、一般的には１回〜４回のいずれかである。前記背景色は、後述の予防接種歴画面Ｐ３及び予防接種歴追加画面Ｐ４（図１１参照）における当該予防接種に対応する表示欄の背景の色である。前記文字色は、後述の予防接種歴画面Ｐ３及び予防接種歴追加画面Ｐ４における当該予防接種に対応する表示欄における文字の色である。前記予防接種オーダーセットコードは、当該予防接種に対応する前記予防接種オーダーセットを示すコードであり、前記予防接種オーダーセットマスターＤ１に登録されている前記予防接種オーダーセットコードのいずれかが登録される。例えば、「ヒブ」の予防接種には、図２に示される「ヒブセット」の予防接種オーダーセットコードが対応付けられる。前記ＬｏｔＮｏ初期値は、後述の予防接種歴追加画面Ｐ４における「Ｌｏｔ  Ｎｏ」欄の初期値である。前記投与量初期値は、後述の予防接種歴追加画面Ｐ４における「投与量」欄の初期値である。前記部位初期値１回目は、後述の予防接種歴追加画面Ｐ４における、接種回数が１回目の場合の「部位」欄の初期値である。前記部位初期値２回目は、後述の予防接種歴追加画面Ｐ４における、接種回数が２回目の場合の「部位」欄の初期値である。前記部位初期値３回目は、後述の予防接種歴追加画面Ｐ４における、接種回数が３回目の場合の「部位」欄の初期値である。前記部位初期値４回目は、後述の予防接種歴追加画面Ｐ４における、接種回数が４回目の場合の「部位」欄の初期値である。前記１回目接種期間は、当該予防接種の１回目を接種すべき期間である。前記２回目接種期間は、当該予防接種の２回目を接種すべき期間である。前記２回目接種不可期間は、当該予防接種の２回目を接種してはいけない期間であり、当該予防接種の前回の接種日から一定期間（例えば、１週間又は４週間など）が接種不可期間として設定される。前記３回目接種期間は、当該予防接種の３回目を接種すべき期間である。前記３回目接種不可期間は、当該予防接種の３回目を接種してはいけない期間である。前記４回目接種期間は、当該予防接種の４回目を接種すべき期間である。前記４回目接種不可期間は、当該予防接種の４回目を接種してはいけない期間である。
【００２２】
なお、図示は省略するが、前記マスター領域１２２には、例えば病名マスター、患者マスター、医薬品マスターなどの他のマスター情報も記憶される。
【００２３】
前記データ領域１２３には、電子カルテ情報Ｄ４及び接種履歴情報Ｄ５などの情報が記憶される。電子カルテ情報Ｄ４には、電子カルテに記載されたカルテ情報（すなわち、診療行為の内容などを示す情報）が登録される。電子カルテ情報Ｄ４は、例えば前記診察端末３０を用いた医師等のユーザー操作に応じて編集される。電子カルテ情報Ｄ４には、前記受付端末２０において後述の診察情報登録画面Ｐ１を通じて入力される情報（例えば、患者に関する情報、自費事由区分の情報など）も登録される。
【００２４】
接種履歴情報Ｄ５には、各患者が接種した予防接種に関する情報が登録される。図５は、接種履歴情報Ｄ５に記録されるデータの一例である。図５に示されるように、接種履歴情報Ｄ５には、各患者が接種した予防接種ごとに、患者ＩＤ、予防接種ＩＤ、接種回数、接種年月日、予防接種オーダーセットコード、ＬｏｔＮｏ入力値、部位入力値、及び投与量入力値などが登録される。前記患者ＩＤは、当該予防接種を接種した患者を識別するための識別情報である。前記予防接種ＩＤは、当該予防接種の種類を識別するための識別情報である。前記接種回数は、当該予防接種が必要接種回数（１回〜４回）における何回目の接種に該当するかを示している。前記接種年月日は、当該予防接種の接種日である。前記予防接種オーダーセットコードは、当該予防接種の実施の際に用いられた予防接種オーダーセットのコードである。前記ＬｏｔＮｏ入力値は、当該予防接種で用いられたワクチンのロット番号である。前記部位入力値は、当該予防接種でワクチンが投与された体の部位である。前記投与量入力値は、当該予防接種で投与されたワクチンの投与量である。
【００２５】
なお、前記予防接種オーダーセットマスターＤ１、前記自費事由区分マスターＤ２、前記予防接種歴マスターＤ３、前記電子カルテ情報Ｄ４、及び前記接種履歴情報Ｄ５のいずれか一つ又は複数が、前記電子カルテ装置１０の外部に設けられる記憶装置に記憶されてもよい。例えば、前記予防接種オーダーセットマスターＤ１、前記自費事由区分マスターＤ２、前記予防接種歴マスターＤ３、前記電子カルテ情報Ｄ４、及び前記接種履歴情報Ｄ５のいずれか一つ又は複数を記憶するサーバー装置が前記電子カルテシステム１に含まれてもよい。そして、前記制御部１１がインターネット等を介して前記サーバー装置にアクセス可能であってもよい。
【００２６】
前記表示部１３は、前記制御部１１からの制御指示に従って各種の情報を表示する液晶ディスプレイ又は有機ＥＬディスプレイなどの表示部である。前記操作部１４は、前記電子カルテ装置１０に各種の情報を入力するためにユーザーによって操作される操作部である。具体的に、前記操作部１４は、前記表示部１３に表示される各種の操作画面における入力操作を受け付けるキーボード及びマウス（ポインティングデバイス）を含む。また、前記操作部１４は、前記表示部１３に表示される各種の操作画面に対するタッチ操作を受け付けるタッチパネル、又は音声認識により各種情報の入力を受け付ける音声入力装置を含むものであってもよい。
【００２７】
前記通信ＩＦ１５は、前記ネットワーク４０を介して前記受付端末２０及び前記診察端末３０などの外部機器との間で、予め定められた通信プロトコルに従って無線又は有線でデータ通信を実行するネットワークカード等を有する通信インターフェースである。
【００２８】
前記ドライブ装置１６は、前記電子カルテプログラムなどが記録されたコンピュータ読み取り可能な記録媒体１６１から前記電子カルテプログラムなどの情報を読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記電子カルテ装置１０では、前記制御部１１により、前記ドライブ装置１６を用いて前記記録媒体１６１から読み取られた前記電子カルテプログラムが前記プログラム領域１２１に記憶される。
【００２９】
そして、このように構成された前記電子カルテ装置１０では、前記制御部１１が、入力処理部１１１、表示制御部１１２、記録処理部１１３、及び選択処理部１１４を含む。具体的に、前記制御部１１は、前記電子カルテプログラムに従って各種の処理を実行することにより、前記電子カルテ装置１０では、前記制御部１１が、入力処理部１１１、表示制御部１１２、記録処理部１１３、選択処理部１１４、及び履歴記録部１１５として機能する。
【００３０】
前記入力処理部１１１は、前記受付端末２０における入力操作に応じて、受診者（患者）及び受診事由に関する情報を受付情報として入力する。
【００３１】
ここに、図６は、前記受付端末２０で表示される診察情報登録画面Ｐ１の一例を示す図である。図６に示されるように、前記診察情報登録画面Ｐ１には、患者ＩＤを入力するための入力欄、患者の氏名を入力するための入力欄など、各種の情報を入力するための複数の入力欄が表示されている。特に、前記診察情報登録画面Ｐ１には、支払いに関連する情報として、自費事由を入力するための自費事由入力欄Ｂ１が含まれる。前記受付端末２０における入力操作に応じて、これらの入力欄に情報が入力される。そして、前記診察情報登録画面Ｐ１において登録キーＫ１が操作されると、前記自費事由入力欄Ｂ１を含む複数の入力欄に入力された情報が、前記受付情報として前記受付端末２０から前記電子カルテ装置１０に送信されて、前記入力処理部１１１により前記電子カルテ情報Ｄ４に登録される。なお、他の実施形態では、前記受付情報が、前記電子カルテ情報Ｄ４とは別に前記記憶部１２に記憶されてもよい。
【００３２】
前記表示制御部１１２は、前記診察端末３０において診察開始操作が行われると、前記表示制御部１１２は、通常は、これから診察すべき患者に関するカルテ画面Ｐ２を当該診察端末３０に表示させる。なお、前記診察開始操作は、例えば、前記診察端末３０に表示された受診リスト画面（不図示）において、これから診察すべき患者を選択した状態で特定の操作キー（例えば、診察開始キー又はカルテキー）を操作することによって行われる。
【００３３】
ここに、図７は、前記診察端末３０で表示される前記カルテ画面Ｐ２の一例を示す図である。図７に示されるように、前記カルテ画面Ｐ２には、表示領域Ａ１〜Ａ５が含まれる。
【００３４】
前記表示領域Ａ１では、過去に作成された電子カルテなどが表示可能である。前記表示領域Ａ２では、現在の編集対象である電子カルテが表示可能である。前記表示領域Ａ３には患者の情報が表示される。また、前記表示領域Ａ４には電子カルテの編集に用いられるキーパッドが表示される。さらに、前記表示領域Ａ５には前記電子カルテの編集に用いられるショートカットキー等が表示される。
【００３５】
診察が開始されると、前記表示領域Ａ２に表示される電子カルテに、前記診察端末３０を用いた医師等のユーザー操作に応じて、複数のカルテ情報が順次に記載される。
【００３６】
前記電子カルテシステム１では、前記電子カルテに前記カルテ情報を記載する方法として、複数の方法が用意されている。例えば、前記電子カルテの所望領域をマウス又はタッチパネルで選択後、キーボードから文字列を入力することによって、前記電子カルテに前記カルテ情報を記載することができる。また、前記表示領域Ａ４に表示されているキーパッドをマウス、テンキー又はタッチパネルで操作することによって、前記電子カルテに前記カルテ情報を記載することもできる。また、任意のカルテ情報を予めセット情報として登録しておき、当該セット情報をマウス、テンキー又はタッチパネルで選択することによって、前記電子カルテに前記カルテ情報を記載することもできる。また、前記セット情報を示すアイコンを前記表示領域Ａ２に表示されている前記電子カルテの所望領域にドラッグアンドドロップ操作することによって、前記電子カルテに前記カルテ情報を記載することもできる。
【００３７】
ところで、予防接種の受診者を診察する場合、医者は、前記受診者が今回接種すべき予防接種を母子手帳などを参考にしながら決定し、当該予防接種に関するカルテ情報（すなわち、接種すべきワクチンの種類、投与量など）を、前記診察端末３０を通じて前記電子カルテに記載する必要がある。しかしながら、このようにして今回接種すべき予防接種を決定して、当該予防接種に関するカルテ情報を電子カルテに記載するには大きな手間がかかる。特に、複数（例えば４種類）の予防接種を同時に接種する場合には、前記カルテ情報を電子カルテに記載する手間が大きく増えてしまう。これに対して、本実施形態に係る電子カルテシステム１では、以下で説明するような構成及び動作により、診察端末における操作の手間を省くことが可能である。
【００３８】
前記表示制御部１１２は、前記入力処理部１１１により入力された前記受付情報が予め定められた特定条件を満たす場合は、前記診察端末３０における前記診察開始操作に応じて、電子カルテへの前記受付情報に関するカルテ情報の記載を支援するための入力支援画面を当該診察端末３０に表示させることが可能である。具体的に、前記表示制御部１１２は、前記受診事由が予防接種であることを前記受付情報が示している場合は、前記診察端末３０における前記診察開始操作に応じて、少なくとも前記受診者が未接種である予防接種（ワクチン）を示す前記入力支援画面を前記診察端末に表示させることが可能である。前記表示制御部１１２による表示処理は、本発明の表示ステップの一例である。
【００３９】
なお、前記特定条件は、前記受診事由に関する条件以外の条件であってもよい。また、前記特定条件は、前記受診事由に関する条件と前記受診事由に関する条件以外の条件との組み合わせであってもよい。例えば、前記表示制御部１１２は、前記受診事由が予防接種であり、且つ、前記受診者の年齢が１２歳未満である場合に、前記入力支援画面を前記診察端末３０に表示させてもよい。
【００４０】
本実施形態では、前記表示制御部１１２は、或る患者（受診者）の診察情報登録画面Ｐ１で前記自費事由入力欄Ｂ１に「予防接種」と入力された場合は、前記診察端末３０における当該受診者に対する前記診察開始操作に応じて、予防接種歴画面Ｐ３を前記診察端末３０に表示させる。前記予防接種歴画面Ｐ３は、本発明の「入力支援画面」の一例である。また、前記予防接種歴画面Ｐ３は、本発明の「第１画面」の一例である。
【００４１】
本実施形態では、前記診察端末３０において、予防接種の受診者に関する前記診察開始操作が行われると、図８に示されるように、電子カルテ画面Ｐ２と同時に、その前面に前記予防接種歴画面Ｐ３が自動的に表示される。前記予防接種歴画面Ｐ３には、前記選択処理部１１４により選択可能な複数の予防接種が表示される。なお、前記予防接種歴画面Ｐ３は、前記電子カルテ画面Ｐ２の前記表示領域Ａ４に表示される前記キーパッド、前記表示領域Ａ２における右クリック時に表示される右クリックメニュー、及び前記表示領域Ａ５に表示される前記ショートカットキーなどにより手動で表示させることも可能である。しかしながら、本実施形態では、予防接種の受診者に関する前記診察開始操作が行われたときに前記予防接種歴画面Ｐ３が自動的に表示されるので、前記予防接種歴画面Ｐ３を医師が手動で表示させる手間を省くことができる。
【００４２】
ここに、図９は、前記予防接種歴画面Ｐ３の一例を示している。前記予防接種歴画面Ｐ３には、診察対象の患者（受診者）に関する情報（具体的には、患者ＩＤ、患者名、性別、生年月日、及び年齢）が表示される。また、前記予防接種歴画面Ｐ３には、前記予防接種歴マスターＤ３に登録されている予防接種ごとに、当該予防接種の予防接種名と、当該予防接種（ワクチン）の接種状況と、当該予防接種の１回目〜４回目の接種日及び接種年齢とが表示される。前記接種状況、前記接種日、及び前記接種年齢は、前記接種履歴情報Ｄ５における当該患者のデータに基づいて表示される。以下では、各予防接種の前記接種状況が表示される領域を「接種状況欄」と称し、各予防接種の１回目の接種日及び接種年齢が表示される欄を「１回目欄」と称し、各予防接種の２回目の接種日及び接種年齢が表示される欄を「２回目欄」と称し、各予防接種の３回目の接種日及び接種年齢が表示される欄を「３回目欄」と称し、各予防接種の４回目の接種日及び接種年齢が表示される欄を「４回目欄」と称する。また、以下では、前記１回目欄、前記２回目欄、前記３回目欄、及び前記４回目欄を「セル」と総称することがある。
【００４３】
各予防接種の前記接種状況欄には、当該予防接種の必要接種回数と同数のチェック画像が表示される。例えば、必要接種回数が３回であるＢ型肝炎の接種状況欄には３個のチェック画像が表示され、必要接種回数が２回であるロタウイルス（１価）の接種状況欄には２個のチェック画像が表示される。前記接種状況欄の各々には１個〜４個のチェック画像が表示され、左から１番目のチェック画像は、当該予防接種の１回目を接種済みか否かを示しており、左から２番目のチェック画像は、当該予防接種の２回目を接種済みか否かを示しており、左から３番目のチェック画像は、当該予防接種の３回目を接種済みか否かを示しており、左から４番目のチェック画像は、当該予防接種の４回目を接種済みか否かを示している。チェックマークを含むチェック画像は、接種済みであることを示しており、チェックマークを含まないチェック画像は、未接種であることを示している。すなわち、前記予防接種歴画面Ｐ３では、受診者が接種済みである予防接種と未接種である予防接種とが判別可能に表示される。これにより、医師は、母子手帳などを参考にしなくても、受診者が接種済みの予防接種と未接種の予防接種とを容易に把握することができる。
【００４４】
各予防接種の前記１回目欄、前記２回目欄、前記３回目欄、及び前記４回目欄の各セルには、当該予防接種の接種日及び接種年齢が表示される。例えば、Ｂ型肝炎の前記１回目欄には、Ｂ型肝炎の予防接種の１回目の接種日（平成２６年３月１日）及び接種年齢（０歳２ヶ月）が表示され、Ｂ型肝炎の前記２回目欄には、Ｂ型肝炎の予防接種の２回目の接種日（平成２６年４月１日）及び接種年齢（０歳３ヶ月）が表示される。すなわち、前記予防接種歴画面Ｐ３では、受診者が接種済みである予防接種について、当該予防接種の接種日及び接種年齢が表示される。これにより、医師は、母子手帳などを参考にしなくても、受診者が接種済みの予防接種に関する接種日及び接種年齢を容易に把握することができる。
【００４５】
なお、対応する予防接種が未接種であるセルには、前記接種日及び前記接種年齢は表示されない。例えば、ヒブの予防接種の４回目は未接種であるため、ヒブの前記４回目欄には、前記接種日及び前記接種年齢は表示されない。また、小児用肺炎球菌の予防接種の４回目は未接種であるため、小児用肺炎球菌の前記４回目欄には、前記接種日及び前記接種年齢は表示されない。
【００４６】
また、対応する予防接種が存在しないセルには、前記接種日及び前記接種年齢は表示されず、当該セル全体が例えば灰色で表示される。例えば、Ｂ型肝炎の予防接種の必要接種回数は３回であるため、Ｂ型肝炎の予防接種の前記４回目欄は全体が灰色で表示される。また、ロタウイルス（１価）の予防接種の必要接種回数は２回であるため、ロタウイルス（１価）の予防接種の前記３回目欄及び前記４回目欄は全体が灰色で表示される。
【００４７】
なお、本実施形態では、対応する予防接種が未接種であるセルにおいて、特定のメッセージが表示されることがある。例えば、図９において、ロタウイルス（１価）の予防接種の前記２回目欄には「接種期間を過ぎています」のメッセージが表示されている。当該メッセージは、前記予防接種歴マスターＤ３に登録されている接種期間を過ぎている場合に表示される。例えば、前記予防接種歴マスターＤ３において、ロタウイルス（１価）の２回目接種期間が「０歳３ヶ月〜０歳５ヶ月」に設定されている場合、図９に示される受診者の年齢（１歳２ヶ月）は前記接種期間を過ぎているため、前記２回目欄に「接種期間を過ぎています」のメッセージが表示される。これにより、医師は、接種期間を過ぎている未接種の予防接種があることを容易に把握することができる。このとき、「接種期間を過ぎています」のメッセージが表示されるセルが強調表示されてもよい。例えば、当該セルの文字色が、通常の文字色（例えば黒）とは異なる文字色（例えば橙）に設定されてもよい。また、当該セルの背景色が、通常の背景色（例えば白）とは異なる背景色（例えば橙）に設定されてもよい。これにより、医師は、接種期間を過ぎている未接種の予防接種があることに気付きやすくなる。
【００４８】
また、例えば、図９において、ＢＣＧの予防接種の前記１回目欄には「接種期間中」のメッセージが表示されている。当該メッセージは、前記予防接種歴マスターＤ３に登録されている接種期間中である場合に表示される。例えば、前記予防接種歴マスターＤ３において、ＢＣＧの１回目接種期間が「０歳５ヶ月〜１歳６ヶ月」に設定されている場合、図９に示される受診者の年齢（１歳２ヶ月）は前記接種期間中であるため、前記１回目欄に「接種期間中」のメッセージが表示される。すなわち、前記予防接種歴画面Ｐ３では、受診者の年齢に基づいて、前記受診者が未接種である予防接種について、予防接種ごとに予め定められた接種期間中であるか否かが判別可能に表示される。これにより、医師は、接種期間中である未接種の予防接種があることを容易に把握することができる。このとき、「接種期間中」のメッセージが表示されるセルが強調表示されてもよい。例えば、当該セルの文字色が、通常の文字色（例えば黒）とは異なる文字色（例えば黄）に設定されてもよい。また、当該セルの背景色が、通常の背景色（例えば白）とは異なる背景色（例えば黄）に設定されてもよい。これにより、医師は、接種期間中である未接種の予防接種があることに気付きやすくなる。
【００４９】
また、例えば、図９において、水痘（みずぼうそう）の予防接種の前記２回目欄には「接種不可期間中」のメッセージが表示されている。当該メッセージは、前記予防接種歴マスターＤ３に登録されている接種不可期間中である場合に表示される。例えば、前記予防接種歴マスターＤ３において、水痘（みずぼうそう）の２回目接種不可期間が「１回目接種日から３ヶ月間」に設定されている場合、図９に示される水痘（みずぼうそう）の予防接種の１回目の受診日（平成２７年１月４日）から３ヶ月間は前記接種不可期間中であるため、前記１回目欄に「接種不可期間中」のメッセージが表示される。すなわち、前記予防接種歴画面Ｐ３では、受診者が未接種である予防接種について、当該予防接種の前回の接種日に基づいて定められる接種不可期間中であるか否かが判別可能に表示される。これにより、医師は、接種不可期間中である未接種の予防接種があることを容易に把握することができる。このとき、「接種不可期間中」のメッセージが表示されるセルが強調表示されてもよい。例えば、当該セルの文字色が、通常の文字色（例えば黒）とは異なる文字色（例えば赤）に設定されてもよい。また、当該セルの背景色が、通常の背景色（例えば白）とは異なる背景色（例えば赤）に設定されてもよい。これにより、医師は、接種不可期間中である未接種の予防接種があることに気付きやすくなる。
【００５０】
前記選択処理部１１４は、前記予防接種歴画面Ｐ３に対するユーザー操作に基づいて、予め登録された複数の予防接種の中から一又は複数の予防接種を選択することが可能である。
【００５１】
本実施形態では、前記予防接種歴画面Ｐ３において、前記接種状況欄に表示されている前記チェック画像のうち、未接種の予防接種に対応する前記チェック画像が操作（例えば、タッチ又はクリック）されると、前記選択処理部１１４は、当該チェック画像に対応する予防接種を、受診者が今回接種すべき予防接種として選択する。また、前記予防接種歴画面Ｐ３に表示されている前記セル（すなわち、各予防接種の前記１回目欄、前記２回目欄、前記３回目欄、及び前記４回目欄のセル）のうち、未接種の予防接種に対応する前記セルが操作（例えば、タッチ又はクリック）された場合にも、前記選択処理部１１４は、当該セルに対応する予防接種を、受診者が今回接種すべき予防接種として選択する。
【００５２】
なお、複数の前記チェック画像又は複数の前記セルが順番に操作された場合は、前記選択処理部１１４は、当該複数の前記チェック画像又は前記セルに対応する予防接種を、受診者が今回接種すべき予防接種として選択する。
【００５３】
上記のようにして受診者が今回接種すべき予防接種が選択されると、前記予防接種歴画面Ｐ３において、当該選択された予防接種に対応する前記チェック画像及び前記セルの表示態様が変化する。具体的には、図１０に示されるように、対応する前記チェック画像の背景色が、通常の背景色（例えば白）とは異なる背景色（例えば青）に変更されるとともに、対応する前記セルの枠が、通常の太さよりも太い線で表示される。図１０に示される予防接種歴画面Ｐ３では、ヒブの予防接種の４回目と、小児用肺炎球菌の予防接種の４回目と、四種混合（ＤＰＴ−ＩＰＶ）の予防接種の４回目とが選択された状態（選択状態）となっている。これにより、医師は、選択状態になっている予防接種を容易に判別することが可能である。なお、選択状態になっている予防接種に対応する前記チェック画像又は前記セルを再操作（例えば、タッチ又はクリック）することにより、当該予防接種を選択状態から非選択状態に設定することが可能である。
【００５４】
なお、本実施形態では、上記のように前記チェック画像又は前記セルを操作して予防接種を個別に順次選択する代わりに、複数の予防接種を一括して選択することも可能となっている。具体的には、前記予防接種歴画面Ｐ３に含まれる一括選択キーＫ１２〜Ｋ１７及び自動選択キーＫ１８のいずれかが操作（例えば、タッチ又はクリック）されると、前記選択処理部１１４は、操作されたキーに応じて、複数の予防接種を一括選択することが可能である。
【００５５】
前記一括選択キーＫ１２〜Ｋ１７の各々には、予め定められた複数の予防接種が関連付けられている。例えば、前記一括選択キーＫ１２には、Ｂ型肝炎の予防接種の１回目、ロタウイルス（５価）の予防接種の１回目、ヒブの予防接種の１回目、及び小児用肺炎球菌の予防接種の１回目の４つの予防接種が関連付けられている。よって、前記一括選択キーＫ１２が操作されると、前記選択処理部１１４は当該４つの予防接種を一括選択する。
【００５６】
また、前記一括選択キーＫ１３には、Ｂ型肝炎の予防接種の２回目、ロタウイルス（５価）の予防接種の２回目、ヒブの予防接種の２回目、小児用肺炎球菌の予防接種の２回目、及び四種混合（ＤＰＴ−ＩＰＶ）の予防接種の１回目の５つの予防接種が関連付けられている。よって、前記一括選択キーＫ１３が操作されると、前記選択処理部１１４は当該５つの予防接種を一括選択する。
【００５７】
また、前記一括選択キーＫ１４には、ロタウイルス（５価）の予防接種の３回目、ヒブの予防接種の３回目、小児用肺炎球菌の予防接種の３回目、及び四種混合（ＤＰＴ−ＩＰＶ）の予防接種の２回目の４つの予防接種が関連付けられている。よって、前記一括選択キーＫ１４が操作されると、前記選択処理部１１４は当該４つの予防接種を一括選択する。
【００５８】
このように、前記選択処理部１１４は、前記一括選択キーＫ１２〜Ｋ１７のいずれかが操作されたことに応じて、当該操作されたキーに関連付けられている複数の予防接種を一括選択する。すなわち、前記選択処理部１１４は、単一のユーザー操作（例えば、１回のタッチ操作又は１回のクリック操作など）に応じて、予め定められた複数の予防接種を一括選択可能である。
これにより、医師が複数の予防接種を選択するときの手間を省くことができる。
【００５９】
なお、前記一括選択キーＫ１２〜Ｋ１７の各々に関連付けられる予防接種の組み合わせは、例えば、マスターメンテナンスキーＫ１９を操作することによって表示されるマスターメンテナンス画面（不図示）を通じて、ユーザー（医師等）が任意に設定することが可能である。また、前記一括選択キーＫ１２〜Ｋ１７の各々に表示される「同時接種（３ヶ月）」等の文字列も、前記マスターメンテナンス画面を通じて、ユーザーが任意に設定することが可能である。
【００６０】
前記自動選択キーＫ１８は、受診者が未接種である予防接種の中から、今回接種可能な予防接種を全て一括選択するためのキーである。前記自動選択キーＫ１８が操作されると、前記選択処理部１１４は、前記受診者が今回接種可能な予防接種を全て一括選択する。具体的には、前記選択処理部１１４は、前記予防接種歴マスターＤ３を参照して、受診者が未接種である予防接種のうち、接種期間中である予防接種（ただし、接種不可期間中である予防接種は除く）を全て一括選択する。すなわち、前記選択処理部１１４は、単一のユーザー操作（例えば、１回のタッチ操作又は１回のクリック操作など）に応じて、受診者が今回接種可能な予防接種を全て一括選択可能である。これにより、受診者が今回接種可能な予防接種が自動的に選択されるので、医師の手間を省くことができる。
【００６１】
なお、本実施形態では、前記予防接種歴画面Ｐ３が表示された直後の初期状態では、いずれの予防接種も非選択状態となっているが、他の実施形態では、前記初期状態において、いずれか一つ又は複数の予防接種が選択状態となっていてもよい。例えば、前記選択処理部１１４は、前記予防接種歴画面Ｐ３が表示された時点で受診者が今回接種可能な予防接種を全て選択状態に設定し、その後、当該予防接種の各々をユーザー操作に応じて個別に非選択状態に設定してもよい。これにより、前記自動選択キーＫ１８を操作しなくても、受診者が今回接種可能な予防接種が前記初期状態においてすでに選択状態となるので、医師の手間をさらに省くことができる。
【００６２】
前記予防接種歴画面Ｐ３において、受診者が未接種である一又は複数の予防接種が選択されている状態で追加キーＫ１１が操作されると、診察端末３０において図１１に示されるような予防接種歴追加画面Ｐ４が表示される。前記予防接種歴追加画面Ｐ４には、前記選択処理部１１４により一又は複数の予防接種が選択されたことに応じて、前記選択処理部１１４により選択された予防接種ごとに、前記電子カルテ（前記電子カルテ情報Ｄ４）に記録すべき前記カルテ情報が表示される。前記予防接種歴画面Ｐ３及び前記予防接種歴追加画面Ｐ４の組み合わせは、本発明の「入力支援画面」の一例である。また、前記予防接種歴追加画面Ｐ４は、本発明の「第２画面」の一例である。前記予防接種歴追加画面Ｐ４は、例えば、前記予防接種歴画面Ｐ３の前面に表示される。図１１は、前記予防接種歴画面Ｐ３においてヒブの予防接種の１回目と小児用肺炎球菌の予防接種の１回目とが選択されている状態で追加キーＫ１１が操作された場合に表示される前記予防接種歴追加画面Ｐ４を示している。前記予防接種歴追加画面Ｐ４には、接種日を入力するための接種日入力欄Ｂ２が含まれる。当該接種日入力欄Ｂ２には、今日の日付が初期値として自動的に入力される。
【００６３】
前記予防接種歴追加画面Ｐ４には、前記選択処理部１１４により選択された予防接種ごとに、前記電子カルテに記録すべき前記カルテ情報として、予め定められた複数の項目に関する情報が表示される。具体的に、前記予防接種歴追加画面Ｐ４では、前記予防接種歴画面Ｐ３で選択された予防接種ごとに、「予防接種オーダー」、「接種回数」、「Ｌｏｔ  Ｎｏ」、「部位」、及び「投与量」の項目が表示される。前記「予防接種オーダー」の欄には、当該予防接種に関連付けられている前記予防接種オーダーセットの名前が表示される。例えば、予防接種歴マスターＤ３には、ヒブの予防接種に対応する予防接種オーダーセットの予防接種オーダーセットコードが登録されており、前記予防接種オーダーセットマスターＤ１には、当該予防接種オーダーセットコードに対応する予防接種オーダーセット名（「ヒブセット」）が登録されている。前記「接種回数」の欄には、今回の接種が何回目の接種であるかが表示される。
【００６４】
前記予防接種歴追加画面Ｐ４には、前記選択処理部１１４により選択された予防接種ごとに、前記電子カルテに記録すべき前記カルテ情報として、予防接種ごとに予め登録された情報が初期表示される。例えば、前記「Ｌｏｔ  Ｎｏ」の欄には、前記予防接種歴マスターＤ３に登録されている初期値（「ＬｏｔＮｏ初期値」）が表示される。前記「部位」の欄には、「左腕」、「右腕」、「左大腿」、「右大腿」、「上」、及び「下」の複数の選択肢がチェック画像と共に表示される。そして、前記予防接種歴マスターＤ３に登録されている初期値（「部位初期値１回目」、「部位初期値２回目」、「部位初期値３回目」、又は「部位初期値４回目」）に対応するチェック画像が選択状態で表示され、残りのチェック画像が非選択状態で表示される。前記「投与量」の欄には、前記予防接種歴マスターＤ３に登録されている初期値（「投与量初期値」）が表示される。なお、前記予防接種歴追加画面Ｐ４に初期表示された前記カルテ情報は、ユーザー操作に応じて任意に変更可能である。具体的に、ユーザー（医師）は、前記「Ｌｏｔ  Ｎｏ」、前記「部位」、及び前記「投与量」の欄の値を、必要に応じて、マウス又はキーボードなどにより任意の値に変更することが可能である。
【００６５】
前記履歴記録部１１５は、前記予防接種歴画面Ｐ３及び前記予防接種歴追加画面Ｐ４に対するユーザー操作に基づいて、前記選択処理部１１４により選択された予防接種の種類、接種回数、及び接種日を前記接種履歴情報Ｄ５に追加することが可能である。具体的に、前記履歴記録部１１５は、前記予防接種歴追加画面Ｐ４においてＯＫキーＫ２１が操作されると、前記予防接種歴追加画面Ｐ４に表示されている予防接種に関する情報を、前記接種履歴情報Ｄ５に記録する。そして、前記接種履歴情報Ｄ５に基づいて前記予防接種歴画面Ｐ３が更新される。例えば、図１１に示される前記予防接種歴追加画面Ｐ４においてＯＫキーＫ２１が操作された場合には、前記予防接種歴画面Ｐ３において、ヒブの予防接種に対応する前記接種状況欄における左から１番目の前記チェック画像にチェックマークが追加されるとともに、ヒブの予防接種に対応する前記１回目欄に、前記予防接種歴追加画面Ｐ４の前記接種日入力欄Ｂ２に入力された接種日（例えば、今日の日付）が表示される。さらに、前記予防接種歴画面Ｐ３において、小児用肺炎球菌の予防接種に対応する前記接種状況欄における左から１番目の前記チェック画像にチェックマークが追加されるとともに、小児用肺炎球菌の予防接種に対応する前記１回目欄に、前記予防接種歴追加画面Ｐ４の前記接種日入力欄Ｂ２に入力された接種日（例えば、今日の日付）が表示される。
【００６６】
前記記録処理部１１３は、前記予防接種歴画面Ｐ３及び前記予防接種歴追加画面Ｐ４に対するユーザー操作に基づいて前記電子カルテ（前記電子カルテ情報Ｄ４）に前記カルテ情報を記録することが可能である。具体的に、前記記録処理部１１３は、前記選択処理部１１４により選択された、前記受診者が今回接種する予防接種に関する前記カルテ情報を前記電子カルテ（前記電子カルテ情報Ｄ４）に記録することが可能である。前記記録処理部１１３による記録処理は、本発明の記録ステップの一例である。
【００６７】
本実施形態では、前記予防接種歴追加画面Ｐ４においてＯＫキーＫ２１が操作されて、前記予防接種歴画面Ｐ３に、接種日が今日の日付である予防接種（すなわち、前記選択処理部１１４により選択された予防接種）の情報が追加されると、前記記録処理部１１３は、当該予防接種に関する前記カルテ情報を前記電子カルテに記録する。例えば、図１１に示される前記予防接種歴追加画面Ｐ４においてＯＫキーＫ２１が操作されると、前記記録処理部１１３は、前記予防接種歴追加画面Ｐ４に表示されている各予防接種の予防接種名と、当該予防接種の前記複数の項目（すなわち、「接種回数」、「Ｌｏｔ  Ｎｏ」、「部位」、及び「投与量」）に関する情報と、当該予防接種に関連付けられている予防接種オーダーセットのオーダー内容とを、前記カルテ情報として前記電子カルテ情報Ｄ４に記録する。これにより、受診者が今回接種すべき予防接種に関する前記カルテ情報が前記電子カルテに一括して記録されるので、医師は前記予防接種ごとに前記カルテ情報を順次入力する必要がなく、医師の手間を省くことができる。
【００６８】
上記のようにして前記電子カルテに記録された前記カルテ情報は、前記カルテ画面Ｐ２の前記表示領域Ａ２に表示される。図１２は、前記カルテ情報が記録される前の前記カルテ画面Ｐ２の前記表示領域Ａ２と、前記カルテ情報が記録された後の前記カルテ画面Ｐ２の前記表示領域Ａ２とを示している。図１２において、前記表示領域Ａ２の左欄Ａ２１には、受診者が今回接種する各予防接種の予防接種名と、当該予防接種の前記複数の項目に関する情報とが表示され、前記表示領域Ａ２の右欄Ａ２２には、受診者が今回接種する各予防接種に関連付けられている予防接種オーダーセットのオーダー内容が表示される。
【００６９】
なお、本実施形態では、図１１に示されるように、前記予防接種歴追加画面Ｐ４において、前記複数の項目の各々についてチェック画像が表示される。これらのチェック画像は、初期状態では選択状態（すなわち、チェックマークが含まれる状態）となっており、ユーザーは、これらのチェック画像のうちの任意のチェック画像を、必要に応じて非選択状態に変更することができる。そして、非選択状態に変更されたチェック画像に対応する項目に関する情報については、前記電子カルテ（すなわち、前記電子カルテ情報Ｄ４）には記録されず、前記接種履歴情報Ｄ５にのみ記録される。すなわち、前記記録処理部１１３は、前記予防接種歴追加画面Ｐ４に表示されている各予防接種の前記複数の項目（すなわち、「接種回数」、「Ｌｏｔ  Ｎｏ」、「部位」、及び「投与量」）のうち、ユーザー操作に応じて選択される項目に関する情報だけを選択的に前記電子カルテに記録することが可能である。
【００７０】
なお、本実施形態では、受診者が今回接種する予防接種に関する情報に限らず、受診者が過去に他の医療機関で接種した予防接種に関する情報も、前記予防接種歴追加画面Ｐ４を通じて前記接種履歴情報Ｄ５に記録することが可能である。具体的には、前記予防接種歴追加画面Ｐ４の前記接種日入力欄Ｂ２には任意の日付を入力することが可能となっている。そして、前記接種日入力欄Ｂ２に過去の日付が入力された状態で前記ＯＫキーＫ２１が操作されると、前記予防接種歴追加画面Ｐ４に表示されている予防接種に関する情報が、履歴記録部１１５によって、受診者が過去に接種した予防接種に関する情報として前記接種履歴情報Ｄ５に記録される。例えば、受診者が過去に他の医療機関で接種したＢ型肝炎の１回目の予防接種に関する情報を前記接種履歴情報Ｄ５に記録したい場合は、ユーザー（医師）は、前記予防接種歴画面Ｐ３でＢ型肝炎の１回目の予防接種を選択した状態で前記追加キーＫ１１を操作し、さらに、前記予防接種歴追加画面Ｐ４の前記接種日入力欄Ｂ２に当該予防接種の接種日（過去の日付）を入力して前記ＯＫキー２１を操作すればよい。これにより、ユーザー（医者）は、受診者が過去に他の医療機関で接種した予防接種に関する情報を前記予防接種歴画面Ｐ３で確認することができる。また、前述の「接種不可期間中」のメッセージを正しく表示することが可能となる。
【００７１】
なお、前記予防接種歴追加画面Ｐ４の前記接種日入力欄Ｂ２に過去の日付が入力された状態で前記ＯＫキーＫ２１が操作された場合には、前記チェック画像の状態に関わらず、前記予防接種歴追加画面Ｐ４に表示されている各予防接種に関する情報が前記電子カルテ情報Ｄ４に記録されることはない。すなわち、前記記録処理部１１３は、前記履歴記録部１１５により前記接種履歴情報Ｄ５に追加される予防接種の接種日が今日である場合は、前記予防接種に関する前記カルテ情報を前記電子カルテ（前記電子カルテ情報Ｄ４）に記録するが、前記接種日が過去の日付である場合は、前記予防接種に関する前記カルテ情報を前記電子カルテ（前記電子カルテ情報Ｄ４）に記録しない。したがって、本実施形態によれば、前記電子カルテ情報Ｄ４に記録されている予防接種に関する情報と前記接種履歴情報Ｄ５に記録されている予防接種に関する情報とを比較することによって、受診者がこの医療機関（すなわち、前記電子カルテ装置１０が使用される病院又は薬局等の医療機関）で接種した予防接種と、受診者が他の医療機関で接種した予防接種とを判別することが可能である。
【００７２】
なお、前記予防接種歴画面Ｐ３には、当該予防接種歴画面Ｐ３に表示されている情報を印刷するための印刷機能に関する操作キー、及び当該予防接種歴画面Ｐ３に表示されている情報を編集するための編集機能に関する操作キーも含まれる。しかしながら、前記印刷機能及び前記編集機能については本発明との関連性が低いため、ここでは説明を省略する。
【００７３】
［受付端末２０］
一方、図１に示すように、前記受付端末２０は、制御部２１、記憶部２２、表示部２３、操作部２４、通信ＩＦ２５、及びドライブ装置２６などを備えるコンピュータである。前記受付端末２０は、例えば、病院の受付窓口に設けられ、事務員によって用いられる操作端末である。
【００７４】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００７５】
前記記憶部２２は、前記制御部２１によって実行される各種の制御プログラム及び各種のデータが記憶されるハードディスク、ＳＳＤ、又はフラッシュメモリ等の不揮発性の記憶部である。具体的に、前記記憶部２２には、オペレーティングシステム（ＯＳ）及びブラウザソフトなどのアプリケーションプログラムが記憶される。前記ブラウザソフトは、前記ネットワーク４０を介して前記電子カルテ装置１０にアクセスすることにより前記表示部２３に、前記診察情報登録画面Ｐ１などの各種の操作画面などを表示させると共に、前記操作画面における前記操作部２４を用いた入力操作を前記電子カルテ装置１０に伝達するためのアプリケーションソフトウェアである。具体的に、前記制御部２１は、前記ブラウザソフトにより表示される操作画面の所定位置に、前記電子カルテ装置１０に対応するＵＲＬ（Universal  Resource  Locator）などのアドレス情報が入力された場合に、該アドレス情報に基づいて前記電子カルテ装置１０にアクセスする。
【００７６】
前記表示部２３は、前記制御部２１からの制御指示に従って各種の情報を表示する液晶ディスプレイ又は有機ＥＬディスプレイなどの表示部である。前記操作部２４は、前記受付端末２０に各種の情報を入力するためにユーザーによって操作される操作部である。具体的に、前記操作部２４は、前記表示部２３に表示される各種の操作画面における入力操作を受け付けるキーボード及びマウス（ポインティングデバイス）を含む。また、前記操作部２４は、前記表示部２３に表示される各種の操作画面に対するタッチ操作を受け付けるタッチパネル、又は音声認識により各種情報の入力を受け付ける音声入力装置を含むものであってもよい。
【００７７】
前記通信ＩＦ２５は、前記ネットワーク４０を介して前記電子カルテ装置１０などの外部機器との間で、予め定められた通信プロトコルに従って無線又は有線でデータ通信を実行するネットワークカード等を有する通信インターフェースである。
【００７８】
前記ドライブ装置２６は、前記ＯＳ又は前記ブラウザソフトなどが記録されたコンピュータ読み取り可能な記録媒体２６１から前記ＯＳ又は前記ブラウザソフトなどの情報を読み取ることが可能である。前記記録媒体２６１は、ＣＤ、ＤＶＤ、ＢＤ、又はＵＳＢメモリなどであり、前記ドライブ装置２６は、ＣＤドライブ、ＤＶＤドライブ、ＢＤドライブ、又はＵＳＢポートなどである。
【００７９】
［診察端末３０］
一方、図１に示すように、前記診察端末３０は、制御部３１、記憶部３２、表示部３３、操作部３４、通信ＩＦ３５、及びドライブ装置３６などを備えるコンピュータである。前記診察端末３０は、例えば、病院の診療室に設けられ、医師によって用いられる操作端末である。
【００８０】
前記制御部３１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部３１は、前記ＣＰＵを用いて、前記ＲＯＭ、前記ＥＥＰＲＯＭ、又は前記記憶部３２に予め記憶された各種の制御プログラムに従って各種の処理を実行する。
【００８１】
前記記憶部３２は、前記制御部３１によって実行される各種の制御プログラム及び各種のデータが記憶されるハードディスク、ＳＳＤ、又はフラッシュメモリ等の不揮発性の記憶部である。具体的に、前記記憶部３２には、オペレーティングシステム（ＯＳ）及びブラウザソフトなどのアプリケーションプログラムが記憶される。前記ブラウザソフトは、前記ネットワーク４０を介して前記電子カルテ装置１０にアクセスすることにより前記表示部３３に、前記カルテ画面Ｐ２、前記予防接種歴画面Ｐ３、及び前記予防接種歴追加画面Ｐ４などの各種の操作画面などを表示させると共に、前記操作画面における前記操作部３４を用いた入力操作を前記電子カルテ装置１０に伝達するためのアプリケーションソフトウェアである。具体的に、前記制御部３１は、前記ブラウザソフトにより表示される操作画面の所定位置に、前記電子カルテ装置１０に対応するＵＲＬ（Universal  Resource  Locator）などのアドレス情報が入力された場合に、該アドレス情報に基づいて前記電子カルテ装置１０にアクセスする。
【００８２】
前記表示部３３は、前記制御部３１からの制御指示に従って各種の情報を表示する液晶ディスプレイ又は有機ＥＬディスプレイなどの表示部である。前記操作部３４は、前記診察端末３０に各種の情報を入力するためにユーザーによって操作される操作部である。具体的に、前記操作部３４は、前記表示部３３に表示される各種の操作画面における入力操作を受け付けるキーボード及びマウス（ポインティングデバイス）を含む。また、前記操作部３４は、前記表示部３３に表示される各種の操作画面に対するタッチ操作を受け付けるタッチパネル、又は音声認識により各種情報の入力を受け付ける音声入力装置を含むものであってもよい。
【００８３】
前記通信ＩＦ３５は、前記ネットワーク４０を介して前記電子カルテ装置１０などの外部機器との間で、予め定められた通信プロトコルに従って無線又は有線でデータ通信を実行するネットワークカード等を有する通信インターフェースである。
【００８４】
前記ドライブ装置３６は、前記ＯＳ又は前記ブラウザソフトなどが記録されたコンピュータ読み取り可能な記録媒体３６１から前記ＯＳ又は前記ブラウザソフトなどの情報を読み取ることが可能である。前記記録媒体２６１は、ＣＤ、ＤＶＤ、ＢＤ、又はＵＳＢメモリなどであり、前記ドライブ装置２６は、ＣＤドライブ、ＤＶＤドライブ、ＢＤドライブ、又はＵＳＢポートなどである。
【００８５】
そして、前記電子カルテシステム１では、前記電子カルテ装置１０、前記受付端末２０及び前記診察端末３０によりサーバークライアントシステムが構成され、前記電子カルテ装置１０が前記受付端末２０及び前記診察端末３０のユーザー操作に応じて各種情報の表示、及び記録などの処理を実行する。
【００８６】
なお、本実施形態では、前記入力処理部１１１、前記表示制御部１１２、前記記録処理部１１３、及び前記選択処理部１１４が電子カルテ装置１０に設けられているが、本発明はこれに限定されない。他の実施形態では、前記入力処理部１１１、前記表示制御部１１２、前記記録処理部１１３、及び前記選択処理部１１４の一部又は全部が、前記受付端末２０又は前記診察端末３０に設けられてもよい。すなわち、前記電子カルテプログラムの一部又は全部が前記受付端末２０又は前記診察端末３０において実行されてもよい。
【００８７】
また、本実施形態では、前記予防接種オーダーセットマスターＤ１、前記自費事由区分マスターＤ２、前記予防接種歴マスターＤ３、前記電子カルテ情報Ｄ４、及び前記接種履歴情報Ｄ５が電子カルテ装置１０に記憶されるが、本発明はこれに限定されない。他の実施形態では、前記予防接種オーダーセットマスターＤ１、前記自費事由区分マスターＤ２、前記予防接種歴マスターＤ３、前記電子カルテ情報Ｄ４、及び前記接種履歴情報Ｄ５の一部又は全部が、前記受付端末２０又は前記診察端末３０に記憶されてもよい。
【００８８】
［電子カルテ処理］
次に、前記電子カルテプログラムに基づいて実行される電子カルテ処理について説明する。ここに、図１３は、前記制御部１１で実行される前記電子カルテ処理の手順の一例を示すフローチャートである。前記電子カルテ処理は、前記電子カルテ装置１０において前記電子カルテプログラムの実行が開始されたことに応じて開始される。
【００８９】
＜ステップＳ１１＞
まず、ステップＳ１１において、前記制御部１１（前記入力処理部１１１）は、前記受付端末２０における入力操作に応じて、受診者及び受診事由に関する情報を前記受付情報として入力する。例えば、前記制御部１１は、前記受付端末２０の表示部２３に前記診察情報登録画面Ｐ１を表示させるとともに、当該診察情報登録画面Ｐ１を通じて操作部２４により入力される前記受診者の識別情報（患者ＩＤ、氏名など）及び自費事由区分などの情報を前記受付情報として入力する。前記ステップＳ１１は、本発明の入力ステップの一例である。
【００９０】
＜ステップＳ１２＞
ステップＳ１２において、前記制御部１１は、前記診察端末３０において、前記受診者に関する前記診察開始操作が行われたか否かを判断する。例えば、前記制御部１１は、前記診察端末３０の表示部３３に受診リスト画面（不図示）を表示させる。そして、前記制御部１１は、当該受診リスト画面に表示されている複数の患者の中から、これから診察すべき患者が操作部３４により選択されて、操作部３４により特定の操作キー（例えば、診察開始キー又はカルテキー）が操作された場合に、前記診察開始操作が行われたと判断する。そして、前記制御部１１は、前記診察開始操作が行われたと判断されると（Ｓ１２：Ｙｅｓ）、処理をステップＳ１３に移行させ、前記診察開始操作が行われていないと判断されると（Ｓ１２：Ｎｏ）、前記診察開始操作が行われたと判断されるまで当該ステップＳ１２の処理を繰り返す。
【００９１】
＜ステップＳ１３＞
ステップＳ１３において、前記制御部１１は、前記ステップＳ１１で入力された前記受付情報に基づいて、前記受診者の受診事由が予防接種であるか否かを判断する。具体的に、前記制御部１１は、前記診察情報登録画面Ｐ１を通じて入力された自費事由区分が予防接種である場合に、前記受診者の受診事由が予防接種であると判断する。そして、前記制御部１１は、前記受診者の受診事由が予防接種であると判断されると（Ｓ１３：Ｙｅｓ）、処理をステップＳ１４に移行させ、前記受診者の受診事由が予防接種ではないと判断されると（Ｓ１３：Ｎｏ）、処理をステップＳ１９に移行させる。
【００９２】
＜ステップＳ１４＞
ステップＳ１４において、前記制御部１１（前記表示制御部１１２）は、前記診察端末３０の表示部３３に前記予防接種歴画面Ｐ３を表示させる。例えば、前記制御部１１は、図８に示されるように、前記診察端末３０の表示部３３に、前記受診者に対応する前記カルテ画面Ｐ２と同時に、その前面に前記予防接種歴画面Ｐ３を自動的に表示させる。前記ステップＳ１４は、本発明の表示ステップの一例である。
【００９３】
＜ステップＳ１５＞
ステップＳ１５において、前記制御部１１（前記選択処理部１１４）は、前記予防接種歴画面Ｐ３に対する前記診察端末３０のユーザー操作に基づいて、前記受診者が未接種である予防接種の中から当該受診者が今回接種すべき一又は複数の予防接種を選択する。例えば、前記制御部１１は、前記予防接種歴画面Ｐ３に含まれる前記チェック画像のいずれかが操作部３４により操作された場合に、当該チェック画像に対応する予防接種を選択する。また、前記制御部１１は、前記予防接種歴画面Ｐ３に含まれる前記セルのいずれかが操作部３４により操作された場合に、当該セルに対応する予防接種を選択する。また、前記制御部１１は、前記予防接種歴画面Ｐ３に含まれる前記一括選択キーＫ１２〜Ｋ１７のいずれかが操作部３４により操作された場合に、当該キーに関連付けられている複数の予防接種を一括選択する。また、前記制御部１１は、前記予防接種歴画面Ｐ３に含まれる前記自動選択キーＫ１８が操作部３４により操作された場合に、前記受診者が未接種である予防接種のうち、接種期間中である予防接種（ただし、接種不可期間中である予防接種は除く）を全て一括選択する。そして、前記予防接種歴画面Ｐ３に含まれる前記追加キーＫ１１が操作部３４により操作されると、前記制御部１１は、処理をステップＳ１６に移行させる。
【００９４】
＜ステップＳ１６＞
ステップＳ１６において、前記制御部１１は、前記診察端末３０の表示部３３に前記予防接種歴追加画面Ｐ４を表示させる。そして、前記予防接種歴追加画面Ｐ４に含まれる前記ＯＫキーＫ２１が操作部３４により操作されると、前記制御部１１は、処理をステップＳ１７に移行させる。
【００９５】
＜ステップＳ１７＞
ステップＳ１７において、前記制御部１１（履歴記録部１１５）は、前記予防接種歴追加画面Ｐ４に表示されている予防接種に関する情報に基づいて、前記接種履歴情報Ｄ５を更新する。すなわち、前記予防接種歴追加画面Ｐ４に表示されている予防接種に関する情報（例えば、予防接種の種類、接種回数、及び接種日など）が、前記接種履歴情報Ｄ５に登録される。
【００９６】
＜ステップＳ１８＞
ステップＳ１８において、前記制御部１１（前記記録処理部１１３）は、前記予防接種歴画面Ｐ３に対するユーザー操作（すなわち、前記ステップＳ１４〜Ｓ１６の処理の期間に診察端末３０の操作部３４により行われた操作）に基づいて、前記電子カルテに前記カルテ情報を記録する。例えば、前記制御部１１は、図１２に示されるように、前記ステップＳ１５で選択された予防接種に関する前記カルテ情報を前記電子カルテ情報Ｄ４に記録する。そして、前記制御部１１は、処理をステップＳ２０に移行させる。前記ステップＳ１８は、本発明の記録ステップの一例である。
【００９７】
＜ステップＳ１９＞
ステップＳ１９において、前記制御部１１は、前記診察端末３０の表示部３３に前記カルテ画面Ｐ２を表示させる。そして、前記制御部１１は、処理をステップＳ２０に移行させる。
【００９８】
＜ステップＳ２０＞
ステップＳ２０において、前記制御部１１は、前記診察端末３０の操作部３４により、前記カルテ画面Ｐ２の前記表示領域Ａ２に表示されている電子カルテに対するカルテ情報記載操作が行われたか否かを判断する。前記カルテ情報記載操作は、例えば、キーボードによる文字列の入力操作、前記表示領域Ａ４に表示されるキーパッドによる操作、任意のカルテ情報が登録された前記セット情報の選択操作、又は前記セット情報を示すアイコンに対するドラッグアンドドロップ操作などである。そして、前記制御部１１は、前記カルテ情報記載操作が行われたと判断されると（Ｓ２０：Ｙｅｓ）、処理をステップＳ２１に移行させ、前記カルテ情報記載操作が行われていないと判断されると（Ｓ２０：Ｎｏ）、処理をステップＳ２２に移行させる。
【００９９】
＜ステップＳ２１＞
ステップＳ２１において、前記制御部１１は、前記カルテ情報記載操作に応じて前記電子カルテ（前記電子カルテ情報Ｄ４）に前記カルテ情報を記録する。そして、前記制御部１１は、処理をステップＳ２２に移行させる。
【０１００】
＜ステップＳ２２＞
ステップＳ２２において、前記制御部１１は、前記診察端末３０において診察終了操作が行われたか否かを判断する。そして、前記制御部１１は、前記診察終了操作が行われたと判断されると（Ｓ２２：Ｙｅｓ）、処理を前記ステップＳ１１に戻し、前記診察終了操作が行われていないと判断されると（Ｓ２２：Ｎｏ）、処理を前記ステップＳ２０に戻す。なお、前記診察終了操作は、例えば、前記カルテ画面Ｐ２に含まれる診察終了キー（不図示）の操作である。
【０１０１】
なお、図１３に示されるフローチャートでは、便宜上、前記受付端末２０に関連する処理（前記ステップＳ１１）と、前記診察端末３０に関連する処理（前記ステップＳ１２〜Ｓ２２）とが交互に実行されるが、実際には、或る受診者に関する診察が行われている最中に（すなわち、前記ステップＳ１２〜Ｓ２２が実行されている最中に）、新たな受診者に関する前記受付情報が随時入力されてもよい。
【０１０２】
以上説明したように、本実施形態では、前記受付端末２０の操作部２４により入力された受診事由（自費事由区分）が予防接種である場合に、前記診察端末３０における前記診察開始操作に応じて前記診察端末３０の表示部３３に前記予防接種歴画面Ｐ３が自動的に表示される。そのため、前記予防接種歴画面Ｐ３を前記カルテ画面Ｐ２等から医師が手動で呼び出す必要がないため、前記診察端末３０における操作の手間を省くことができる。
【０１０３】
また、本実施形態では、前記予防接種歴画面Ｐ３に対するユーザー操作（前記予防接種歴画面Ｐ３がら呼び出される前記予防接種歴追加画面Ｐ４に対するユーザー操作も含む）に基づいて前記電子カルテに前記カルテ情報が記録される。そのため、受診者が今回接種すべき予防接種に関する前記カルテ情報を前記電子カルテに記載するための操作が簡略化され、前記診察端末３０における操作の手間を省くことができる。
【０１０４】
また、本実施形態では、前記予防接種歴画面Ｐ３に含まれる一括選択キーＫ１２〜Ｋ１７のいずれかが操作されると、当該キーに関連付けられている予め定められた複数の予防接種が一括選択される。よって、予め定められた複数の予防接種を選択する際の前記診察端末３０における操作の手間を省くことができる。
【０１０５】
また、本実施形態では、前記予防接種歴画面Ｐ３に含まれる自動選択キーＫ１８が操作されると、受診者が今回接種可能な予防接種が全て一括選択される。よって、受診者が今回接種可能な予防接種を判断する手間が省かれると共に、受診者が今回接種可能な予防接種を全て選択する際の前記診察端末３０における操作の手間を省くことができる。
【０１０６】
なお、本実施形態では、前記予防接種歴画面Ｐ３に含まれる前記一括選択キーＫ１２〜Ｋ１７のいずれかが操作された場合に、当該キーに関連付けられている複数の予防接種が一括選択され、その後、前記追加キーＫ１１の操作に応じて前記予防接種歴追加画面Ｐ４が表示されるが、本発明はこれに限定されない。他の実施形態では、前記予防接種歴画面Ｐ３に含まれる前記一括選択キーＫ１２〜Ｋ１７のいずれかが操作された場合に、前記制御部１１は、前記追加キーＫ１１の操作を待つことなく、前記予防接種歴追加画面Ｐ４を自動的に表示させてもよい。これにより、前記追加キーＫ１１の操作を省略することができ、医師による操作の手間を省くことができる。
【０１０７】
また、本実施形態では、前記予防接種歴画面Ｐ３に含まれる前記自動選択キーＫ１８が操作された場合に、受診者が今回接種可能な予防接種が全て一括選択され、その後、前記追加キーＫ１１の操作に応じて前記予防接種歴追加画面Ｐ４が表示されるが、本発明はこれに限定されない。他の実施形態では、前記予防接種歴画面Ｐ３に含まれる前記自動選択キーＫ１８が操作された場合に、前記制御部１１は、前記追加キーＫ１１の操作を待つことなく、前記予防接種歴追加画面Ｐ４を自動的に表示させてもよい。これにより、前記追加キーＫ１１の操作を省略することができ、医師による操作の手間を省くことができる。
【０１０８】
また、本実施形態では、前記予防接種歴画面Ｐ３に含まれる前記追加キーＫ１１が操作された場合に、前記予防接種歴追加画面Ｐ４が表示されるが、本発明はこれに限定されない。他の実施形態では、前記予防接種歴画面Ｐ３に含まれる前記追加キーＫ１１が操作された場合に、前記制御部１１は、前記予防接種歴追加画面Ｐ４を表示させることなしに、前記予防接種歴画面Ｐ３で選択された予防接種に関する前記カルテ情報を前記電子カルテに自動的に記録してもよい。これにより、前記予防接種歴追加画面Ｐ４に含まれる前記ＯＫキーＫ２１の操作を省略することができ、医師による操作の手間を省くことができる。
【符号の説明】
【０１０９】
１：電子カルテシステム
１０：電子カルテ装置
１１：制御部
１２：記憶部
１３：表示部
１４：操作部
１５：通信ＩＦ
１６：ドライブ装置
２０：受付端末
２１：制御部
２２：記憶部
２３：表示部
２４：操作部
２５：通信ＩＦ
２６：ドライブ装置
３０：診察端末
３１：制御部
３２：記憶部
３３：表示部
３４：操作部
３５：通信ＩＦ
３６：ドライブ装置
４０：ネットワーク
Ｄ１：自費事由区分マスター
Ｄ２：予防接種オーダーセットマスター
Ｄ３：予防接種歴マスター
Ｄ４：電子カルテ情報
Ｄ５：接種履歴情報
Ｐ１：診察情報登録画面
Ｐ２：カルテ画面
Ｐ３：予防接種歴画面
Ｐ４：予防接種歴追加画面
【図１】
2018073068.tif 000003
【図２】
2018073068.tif 000004
【図３】
2018073068.tif 000005
【図４】
2018073068.tif 000006
【図５】
2018073068.tif 000007
【図６】
2018073068.tif 000008
【図７】
2018073068.tif 000009
【図８】
2018073068.tif 000010
【図９】
2018073068.tif 000011
【図１０】
2018073068.tif 000012
【図１１】
2018073068.tif 000013
【図１２】
2018073068.tif 000014
【図１３】
2018073068.tif 000015